(57)【要約】【課題】ハンダゴテのコテ先のハンダ屑を良好に除去できるとともに、メンテナンス作業が容易なハンダゴテクリーニング装置を提供する。【解決手段】ハンダゴテクリーニング装置１は、吸引箱１１と、ハンダ屑捕集管１２と、エジェクタ付きのワンダーガン１３と、ハンダ屑捕集部１４と、を備える。吸引箱１１が有する差込孔３３にハンダゴテ３の先端を差し込んだ状態でワンダーガン１３のエジェクタを駆動すると、負圧が発生し、ハンダゴテ３の先端に付着したハンダ屑５がハンダ屑捕集管１２へ引き込まれる。ハンダ屑捕集部１４は、ハンダ屑捕集管１２に吸引された空気から旋回気流５５によってハンダ屑５を分離する分離筒５１を備える。分離筒５１で分離されたハンダ屑５は回収箱５２で捕集され、空気は浄化フィルタ５４により浄化される。吸引箱１１の内部には、ハンダ屑５をトラップする複数の垂直板３６によってラビリンス構造３７が形成されている。【選択図】図１
2009214113.tif 000002
【特許請求の範囲】
【請求項１】
ハンダゴテの先端を差込可能な差込孔を有する筐体と、
この筐体の内部と連通されたハンダ屑捕集経路と、
空気を前記ハンダ屑捕集経路へ吸引するための吸引部と、
前記ハンダ屑捕集経路内に吸引されたハンダ屑を捕集するハンダ屑捕集部と、
を備え、
前記ハンダ屑捕集部は、
前記ハンダ屑捕集経路に吸引された空気からハンダ屑を旋回気流により遠心分離するサイクロン分離部と、
このサイクロン分離部で分離されたハンダ屑を捕集する分離ハンダ屑捕集部と、
前記サイクロン分離部で分離された空気を浄化するフィルタ部と、
を備え、
前記吸引部は、前記ハンダゴテの先端に付着したハンダ屑を、ハンダゴテへの空気の吹付けを行うことなく前記ハンダ屑捕集経路へ引き込むことが可能な負圧を発生可能に構成されており、
前記筐体の内部には、前記ハンダ屑をトラップする複数の内部壁によってラビリンス構造が形成されていることを特徴とするハンダゴテクリーニング装置。
【請求項２】
請求項１に記載のハンダゴテクリーニング装置であって、
前記吸引部はエジェクタ方式の真空ポンプを備えることを特徴とするハンダゴテクリーニング装置。
【請求項３】
請求項１又は２に記載のハンダゴテクリーニング装置であって、
前記ラビリンス構造は前記筐体から取外し可能に構成されていることを特徴とするハンダゴテクリーニング装置。
【請求項４】
請求項３に記載のハンダゴテクリーニング装置であって、
前記筐体の内底面に配置されるベース板を備え、
このベース板に、前記ラビリンス構造を構成する前記内部壁のうち複数の内部壁が固定されていることを特徴とするハンダゴテクリーニング装置。
【請求項５】
請求項１から４までの何れか一項に記載のハンダゴテクリーニング装置であって、
複数の前記筐体、前記ハンダ屑捕集経路及び前記吸引部が、共通の前記ハンダ屑捕集部に接続されていることを特徴とするハンダゴテクリーニング装置。
【請求項６】
請求項１から５までの何れか一項に記載のハンダゴテクリーニング装置の前記筐体内にハンダゴテを挿入し、その状態で前記吸引部を駆動させて前記ハンダ屑捕集部によってハンダ屑を捕集することを特徴とするハンダゴテのクリーニング方法。
【発明の詳細な説明】
【技術分野】
【０００１】
本発明は、主要には、ハンダゴテの先端表面に付着している溶融状態のハンダを除去するためのクリーニング装置に関する。
【背景技術】
【０００２】
この種のハンダゴテクリーニング装置は、例えば特許文献１及び２に開示されている。特許文献１のはんだ鏝用鏝先クリーナは、箱形のクリーナ本体と、圧縮空気を噴出可能なノズルと、を備えている。特許文献２のはんだ鏝用鏝洗浄化装置は、箱形をしたクリーナケースを備えるとともに、このクリーナケースの内部に噴射ノズルを備えた構成となっている。特許文献１及び２のハンダゴテクリーニング装置は、何れもノズルから噴射される圧縮空気によってハンダを吹き飛ばすように構成している。
【特許文献１】特開平９−３０８９６６号公報
【特許文献２】特開２００４−２７６０８１号公報
【０００３】
また、特許文献３に開示されるハンダゴテクリーニング装置は、ハンダゴテのコテ先の少なくとも一部が挿入可能な吸気孔を有するクリーニングヘッドと、その吸気孔内に吸引気体流を発生させる吸気流発生手段と、を備える。この構成で、加熱されたハンダゴテのコテ先を吸気孔に近接もしくは挿入することによって、コテ先の表面に残留する溶融状態のハンダが吸引除去される。
【特許文献３】特開２００６−１５０４０８号公報
【発明の開示】
【発明が解決しようとする課題】
【０００４】
しかし、上記特許文献１及び２の構成は、ハンダゴテの先端にエアを吹き付けるものであるため、吹き飛んだハンダ屑が、吹付けエアの筐体内の反射の影響でハンダゴテに再び付着することがあった。これにより、ハンダの塗布時において当該ハンダ屑がコテ先から基板に落下したり、製品のハウジング等に付着したりして不良の原因となることがあった。
【０００５】
この点、吸気流によってハンダゴテのコテ先を吸引して残留ハンダを除去する特許文献３の構成では、コテ先へ残留ハンダが再付着する現象は回避できると考えられる。しかしながら特許文献３のクリーニング装置は、吸引された残留ハンダが全て耐熱フィルタに吸着される構成となっており、耐熱フィルタを交換するメンテナンス作業が頻繁に必要になってしまっていた。また、耐熱フィルタは高価であり、ランニングコストが上昇する原因となっていた。
【０００６】
本発明は以上の事情に鑑みてされたものであり、その主要な目的は、ハンダゴテのコテ先のハンダ屑を良好に除去できるとともに、メンテナンスコストを低減可能なハンダゴテクリーニング装置を提供することにある。
【課題を解決するための手段及び効果】
【０００７】
本発明の解決しようとする課題は以上の如くであり、次にこの課題を解決するための手段とその効果を説明する。
【０００８】
本発明の第１の観点によれば、以下の構成のハンダゴテクリーニング装置が提供される。即ち、このハンダゴテクリーニング装置は、筐体と、ハンダ屑捕集経路と、吸引部と、ハンダ屑捕集部と、を備える。前記筐体は、ハンダゴテの先端を差込可能な差込孔を有する。前記ハンダ屑捕集経路は、前記筐体の内部と連通される。前記吸引部は、空気を前記ハンダ屑捕集経路へ吸引する。前記ハンダ屑捕集部は、前記ハンダ屑捕集経路内に吸引されたハンダ屑を捕集する。前記ハンダ屑捕集部は、サイクロン分離部と、分離ハンダ屑捕集部と、フィルタ部と、を備える。前記サイクロン分離部は、前記ハンダ屑捕集経路に吸引された空気からハンダ屑を旋回気流により遠心分離する。前記分離ハンダ屑捕集部は、前記サイクロン分離部で分離されたハンダ屑を捕集する。前記フィルタ部は、前記サイクロン分離部で分離された空気を浄化する。前記吸引部は、前記ハンダゴテの先端に付着したハンダ屑を、ハンダゴテへの空気の吹付けを行うことなく前記ハンダ屑捕集経路へ引き込むことが可能な負圧を発生可能に構成されている。前記筐体の内部には、前記ハンダ屑をトラップする複数の内部壁によってラビリンス構造が形成されている。
【０００９】
これにより、除去したハンダ屑がハンダゴテの先端に再付着することを抑制でき、又はほぼゼロにすることができる。従って、ハンダ付け作業時にハンダ屑による不良が発生することを良好に低減することができる。また、筐体の内部にラビリンス構造が形成されているので、大部分のハンダ屑を当該ラビリンス構造の部分で捕集することができる。従って、下流側のハンダ屑捕集部（フィルタ部）で捕集されるハンダ屑を著しく少なくできるので、ハンダ屑捕集部側のメンテナンスが容易になり、必要なメンテナンス頻度を低減することができる。更に、ハンダ屑はハンダ屑捕集部で旋回気流によって分離されて捕集されるため、フィルタ部は安価なもので十分であり、コストを低減できる。また、フィルタ部の詰まりが抑制されるとともに、筐体や分離ハンダ屑捕集部の清掃も容易であるので、メンテナンス作業の負担を軽減することができる。
【００１０】
前記のハンダゴテクリーニング装置においては、前記吸引部はエジェクタ方式の真空ポンプを備えることが好ましい。
【００１１】
これにより、ハンダ屑を捕集するのに十分な負圧を簡単な構成で実現することができる。また、ランニングコストを低減でき、メンテナンス作業もほぼ不要とすることができる。
【００１２】
前記のハンダゴテクリーニング装置においては、前記ラビリンス構造は前記筐体から取外し可能に構成されていることが好ましい。
【００１３】
これにより、筐体内にハンダ屑が溜まった場合には、ラビリンス構造を筐体から取り外して容易に清掃することができる。
【００１４】
前記のハンダゴテクリーニング装置においては、前記筐体の内底面に配置されるベース板を備え、このベース板に、前記ラビリンス構造を構成する前記内部壁のうち複数の内部壁が固定されることが好ましい。
【００１５】
これにより、ハンダ屑のトラップ効果の高いラビリンス構造を簡素な構成で実現することができる。
【００１６】
前記のハンダゴテクリーニング装置においては、複数の前記筐体、前記ハンダ屑捕集経路及び前記吸引部が、共通の前記ハンダ屑捕集部に接続されていることが好ましい。
【００１７】
これにより、ハンダ屑捕集部の設置数を少なくできるので、設備コストを低減することができる。また、メンテナンスの対象となる設備が減少することになるので、メンテナンス作業の負担を更に軽減することができる。
【００１８】
本発明の第２の観点によれば、前記のハンダゴテクリーニング装置の前記筐体内にハンダゴテを挿入し、その状態で前記吸引部を駆動させて前記ハンダ屑捕集部によってハンダ屑を捕集するハンダゴテのクリーニング方法が提供される。
【００１９】
これにより、除去したハンダ屑がコテ先に再付着することを抑制でき、又はほぼゼロにすることができる。従って、ハンダ付け作業時にハンダ屑による不良が発生することを良好に低減することができる。また、大部分のハンダ屑を、筐体内部のラビリンス構造の部分で捕集することができる。従って、下流側のハンダ屑捕集部で捕集されるハンダ屑を著しく少なくできるので、ハンダ屑捕集部側のメンテナンスが容易になり、必要なメンテナンス頻度を低減することができる。更に、ハンダ屑はハンダ屑捕集部で旋回気流によって分離されて捕集されるため、フィルタ部は安価なもので十分であり、コストを低減できる。また、フィルタ部の詰まりが抑制されるとともに、筐体や分離ハンダ屑捕集部の清掃も容易であるので、メンテナンス作業の負担を軽減することができる。
【発明を実施するための最良の形態】
【００２０】
次に、発明の実施の形態を説明する。図１は本発明の一実施形態に係るハンダゴテクリーニング装置の全体的な構成を示す概略側面図、図２は２つの比較例を示す側面図、図３はハンダゴテクリーニング装置の変形例を示す側面図である。
【００２１】
図１に示すハンダゴテクリーニング装置１は、回路基板を内蔵するコネクタ（スマートコネクタ）の製造ラインに設置されている。この製造ラインには、いわゆる引きハンダによって基板に電子部品を自動でハンダ付けするハンダ付けロボット２が配置されている。
【００２２】
前記ハンダゴテクリーニング装置１は、このハンダ付けロボット２が備えるハンダゴテ３のコテ先４をクリーニングするものである。このハンダゴテクリーニング装置１は、吸引箱（筐体）１１と、ハンダ屑捕集管（ハンダ屑捕集経路）１２と、図略のエジェクタを備えるワンダーガン（吸引部）１３と、ハンダ屑捕集部１４と、を備えている。
【００２３】
吸引箱１１は、上方を開放させた箱状に形成された本体３１と、この本体３１の上面を閉じるカバー３２と、を備えている。このカバー３２には差込孔３３が貫通状に形成されており、この差込孔３３に前記ハンダゴテ３のコテ先４を上方から挿入可能に構成されている。カバー３２は開閉可能とされており、後述するハンダ屑５の清掃等のメンテナンス作業を容易にしている。
【００２４】
吸引箱１１の内部には、例えば金属板からなる捕集ユニット３４が収納されている。この捕集ユニット３４は、前記吸引箱１１の内底面をほぼ覆う水平なベース板３５と、このベース板３５から立設される複数枚の垂直板（内部壁）３６と、を備えている。この垂直板３６は上下交互に又は高さを異ならせながら所定の間隔で配置されており、これによって、吸引箱１１の内部にラビリンス構造３７が構成されている。そして、このラビリンス構造３７の出口に相当する位置において、吸引箱１１の側部には接続管３８が設置されている。
【００２５】
前記接続管３８には、前記ワンダーガン１３の吸引側が接続されている。また、このワンダーガン１３の吐出側にはハンダ屑捕集管１２が接続されている。ワンダーガン１３には図略のエジェクタが配置されており、このエジェクタが備えるノズルから蒸気等を例えば０．５ＭＰａ程度の圧力で噴射することで、接続管３８側からハンダ屑捕集管１２側へ空気を吸引することができる。
【００２６】
ワンダーガン１３の前記エジェクタを駆動すると、吸引側に接続された前記吸引箱１１の内部が適度の負圧となるので、前記差込孔３３の部分に適宜の強さの吸引流を作用させることができる。従って、前記コテ先４を差込孔３３の内部に例えば１ｍｍから数ｍｍ程度挿入した状態でエジェクタを駆動させることにより、（ハンダゴテ３に空気を吹き付けることなく）当該コテ先４に付着した球状のハンダ屑（ハンダボール）やフラックスを吸い込んで回収することができる。
【００２７】
なお、良好な吸引流をハンダゴテ３に作用させる観点からは、前記差込孔３３の大きさは、差し込まれた状態のコテ先４の周囲に１ｍｍ〜数ｍｍ程度の隙間を形成可能な大きさであることが好ましい。また、差込孔３３の内壁にハンダ屑５が付着して差込孔３３を塞ぐのを防止するために、少なくとも当該差込孔３３の周囲において、前記カバー３２は約１ｍｍ程度又はそれ以下の厚さに形成することが好ましい。
【００２８】
ワンダーガン１３のエジェクタは常時駆動させる必要はなく、ハンダゴテ３のコテ先が差し込まれた状態で若干の時間駆動すれば、コテ先４に付着したハンダ屑５を十分に除去することができる。この駆動時間は１秒以下でも十分であり、例えば０．５秒程度とすることができる。このように間欠的にエジェクタを駆動することにより、エアの消費量を節約することができる。なお、前記接続管３８の部分には圧力計４２が設置されており、例えばワンダーガン１３に詰まり等が生じて吸引力が低下していないかを確認できるようになっている。
【００２９】
なお、前述のとおり、吸引箱１１の内部にはラビリンス構造３７が形成されている。従って、ハンダゴテ３のコテ先４から飛散したハンダ屑５やフラックスのうち相当の量が、接続管３８から排出される前に前記ラビリンス構造３７の部分で捕集される。従って、大部分のハンダ屑５及びフラックスを吸引箱１１の部分で回収することができ、メンテナンス性に優れている。ラビリンス構造３７の部分でトラップされたハンダ屑５は、吸引箱１１のカバー３２を開放して捕集ユニット３４を吸引箱１１から取り外すことにより、容易に清掃することができる。
【００３０】
ハンダ屑捕集管１２の一端には、当該ハンダ屑捕集管１２内に吸引されたハンダ屑を捕集するためのハンダ屑捕集部１４が接続されている。このハンダ屑捕集部１４は、円錐筒状に形成された分離筒（サイクロン分離部）５１と、この分離筒５１の下部に接続された回収箱（分離ハンダ屑捕集部）５２と、分離筒５１の上部に接続された排気筒５３と、この排気筒５３に設置された浄化フィルタ（フィルタ部）５４と、を備えている。
【００３１】
前記ハンダ屑捕集管１２は分離筒５１に対し適宜の向きで接続されており、当該ハンダ屑捕集管１２からの空気流が円錐筒状の前記分離筒５１に対し接線方向に導入されるように構成されている。従って、前記エジェクタの駆動によって空気流が前記分離筒５１へ導入されることで、前記分離筒５１の内部に旋回気流５５が生じるようになっている。この旋回気流により遠心分離作用が営まれて、ハンダ屑５及びフラックス等の異物は空気から分離され、下方の回収箱５２に落下する。
【００３２】
ハンダ屑５及びフラックス等の異物が分離された空気は上方の排気筒５３に導かれ、浄化フィルタ５４を通過することで浄化される。この浄化フィルタ５４は、例えば０．３μｍまでの大きさのハンダ屑５及びフラックスを約９９％捕集可能な性能を有するフィルタであり、例えば紙パックフィルタ、ＨＥＰＡフィルタ、活性炭フィルタ等を用いることができる。
【００３３】
以上の構成のハンダゴテクリーニング装置１は、ラビリンス構造３７を有する吸引箱１１と、サイクロン分離方式のハンダ屑捕集部１４とを備えることにより、浄化フィルタ５４を通過する前にハンダ屑５の大部分を簡素な構成でトラップすることができる。従って、浄化フィルタ５４等のメンテナンスコストを顕著に低減することができる。以下、図２に示す２つの比較例との関係で本実施形態の効果を説明する。
【００３４】
図２（ａ）には第１比較例のハンダゴテクリーニング装置１ａが示され、このハンダゴテクリーニング装置１ａでは、ハンダ屑捕集管１２の先端に紙パックフィルタ式のハンダ屑捕集部１４ａが接続されている。このハンダ屑捕集部１４ａは、ケーシング５６の内部に袋状の紙パックフィルタ５７を収容し、この紙パックフィルタ５７がハンダ屑捕集管１２の一端に固定されている。また、ケーシング５６の上部には浄化フィルタ５４が設置されている。なお、この第１比較例においてハンダ屑捕集管１２より上流側の構成は図１の実施形態と全く同様であるため、説明を省略する。
【００３５】
図２（ｂ）には第２比較例のハンダゴテクリーニング装置１ｂが示され、このハンダゴテクリーニング装置１ｂでは、ハンダ屑捕集管１２の先端にプレフィルタ式のハンダ屑捕集部１４ｂが接続されている。このハンダゴテクリーニング装置１ｂは、ケーシング５６の壁部にプレフィルタ５８を備えるとともに、当該ケーシング５６の側部に浄化フィルタ５４が設置されている。なお、この第２比較例においてもハンダ屑捕集管１２より上流側の構成は図１の実施形態と全く同様であるため、説明を省略する。
【００３６】
この図２（ａ）のハンダゴテクリーニング装置１ａは、ハンダ屑捕集部１４ａ自体の構成は若干簡素化できるものの、ハンダ屑捕集管１２から排出される大量のハンダ屑５が紙パックフィルタ５７によって捕捉される構成であるため、紙パックフィルタ５７がすぐに詰まりを生じ、例えば１日に２回のフィルタ交換が必要になる。また、紙パックフィルタ５７を清掃して再利用することができないため、ランニングコストが上昇してしまう。また、図２（ｂ）のハンダゴテクリーニング装置１ｂは、ハンダ屑捕集部１４ｂ自体の構成は若干簡素化でき、フィルタの交換頻度は月に数回程度に抑制できるものの、プレフィルタ５８自体が相当に高価であり、このプレフィルタ５８を清掃して再利用することも困難である。従って、この第２比較例の構成もランニングコストが上昇してしまう。
【００３７】
一方、図１のサイクロン方式のハンダ屑捕集部１４では、前記浄化フィルタ５４は１月に２回程度のメンテナンスで上記の比較例と同等の空気浄化能力を維持することができ、また、吸引箱１１及び回収箱５２のハンダ屑５については簡単な清掃により除去できるので長期間継続して使用することができる。従って、本実施形態の構成は第１比較例及び第２比較例に比べ、ランニングコストを顕著に低減することができる。
【００３８】
また、更に本願発明者は、図１に示す実施形態の構成と、吸引箱１１の内部のラビリンス構造３７を省略した比較例のそれぞれについて、ハンダゴテ３の先端の吸引を所定回数繰り返した場合のハンダ屑５の吸引箱１１からの排出量を調べる実験を行った。すると、図１の構成に比べて、ラビリンス構造なしの場合は、吸引箱１１から排出されるハンダ屑の量が約２倍に増加した。これにより、吸引箱１１のラビリンス構造３７も、浄化フィルタ５４の必要なメンテナンス頻度を少なくして、上述のランニングコストの低減に大きく寄与しているということができる。
【００３９】
以上に示すように、本実施形態のハンダゴテクリーニング装置１は、吸引箱１１と、ハンダ屑捕集管１２と、エジェクタを備えるワンダーガン１３と、ハンダ屑捕集部１４と、を備える。吸引箱１１は、ハンダゴテ３の先端（コテ先４）を差込可能な差込孔３３を有している。ハンダ屑捕集管１２は、前記吸引箱１１の内部と連通されている。ワンダーガン１３は、エジェクタの駆動によって空気をハンダ屑捕集管１２内へ吸引する。ハンダ屑捕集部１４は、ハンダ屑捕集管１２に吸引されたハンダ屑５を捕集する。前記ハンダ屑捕集部１４は、分離筒５１と、回収箱５２と、浄化フィルタ５４と、を備える。分離筒５１は、ハンダ屑捕集管１２を流れる空気からハンダ屑５を旋回気流により遠心分離する。回収箱５２は、分離筒５１で分離されたハンダ屑５を捕集する。浄化フィルタ５４は、分離筒５１で分離された空気を浄化する。ワンダーガン１３は前記エジェクタの駆動により、ハンダゴテ３の先端に付着したハンダ屑５を、ハンダゴテ３への空気の吹付けを行うことなく前記ハンダ屑捕集管１２へ引き込むことが可能な負圧を発生可能に構成されている。前記吸引箱１１の内部には、前記ハンダ屑５をトラップする複数の垂直板３６によってラビリンス構造が形成されている。
【００４０】
これにより、除去したハンダ屑５がコテ先４に再付着することを抑制でき、又はほぼゼロにすることができる。従って、ハンダ付け時においてハンダ屑５による不良の発生を良好に低減することができる。また、吸引箱１１の内部にラビリンス構造３７が形成されているので、この部分で大部分のハンダ屑５等を捕集することができる。従って、下流側のハンダ屑捕集部１４で捕集されるハンダ屑５を著しく少なくできるので、ハンダ屑捕集部１４側のメンテナンスが容易になり、必要なメンテナンス頻度を低減することができる。更に、ハンダ屑５はハンダ屑捕集部１４で旋回気流５５によって分離されて捕集されるため、浄化フィルタ５４は安価なフィルタ（例えば、紙製のフィルタ）で十分であり、コストを低減できる。また、浄化フィルタ５４の詰まりも抑制されるので必要なメンテナンス頻度を更に低減でき、吸引箱１１や回収箱５２の内部を簡単に清掃できるのでメンテナンス作業も容易になる。
【００４１】
また、本実施形態のハンダゴテクリーニング装置１は、ワンダーガン１３が備えるエジェクタ方式の真空ポンプ（エジェクタ）によって、空気をハンダ屑捕集管１２内へ吸引するように構成されている。
【００４２】
これにより、ハンダ屑５を捕集するのに十分な負圧を簡単な構成で実現することができる。また、ランニングコストを低減でき、メンテナンス作業もほぼ不要になる。
【００４３】
また、本実施形態のハンダゴテクリーニング装置１においては、前記ラビリンス構造３７は捕集ユニット３４ごとに吸引箱１１から取外し可能に構成されている。
【００４４】
これにより、吸引箱１１内にハンダ屑５が溜まった場合は、ラビリンス構造３７を吸引箱１１から取り外して容易に清掃することができる。
【００４５】
また、本実施形態のハンダゴテクリーニング装置１においては、前記吸引箱１１の内底面に配置されるベース板３５を備える。このベース板３５に、前記ラビリンス構造３７を構成する前記垂直板３６のうち複数の垂直板３６が固定されている。
【００４６】
これにより、トラップ効果の高いラビリンス構造３７を簡素な構成で実現することができる。
【００４７】
また、本実施形態のハンダゴテクリーニング装置１においては、前記吸引箱１１内にハンダゴテ３のコテ先４を挿入し、その状態で前記ワンダーガン１３のエジェクタを駆動させて前記ハンダ屑捕集部１４によってハンダ屑５を捕集する方法で、ハンダゴテ３のクリーニングが行われている。
【００４８】
これにより、除去したハンダ屑５がコテ先４に再付着することを抑制でき、又はほぼゼロにすることができる。従って、製造ラインにおける不良発生を効果的に低減できる。また、下流側のハンダ屑捕集部１４で捕集されるハンダ屑５の量を著しく少なくできるので、ハンダ屑捕集部１４側のメンテナンスコストを低減できる。
【００４９】
次に図３を参照して、上記実施形態の変形例を説明する。図３はハンダゴテクリーニング装置の変形例を示す側面図である。なお、この変形例において図１と同一又は類似の構成については、図に同一の符号を付して説明を省略することがある。
【００５０】
図３に示す変形例のハンダゴテクリーニング装置１ｘにおいては、２つの前記吸引箱１１、ハンダ屑捕集管１２及び前記ワンダーガン１３が、１つの前記ハンダ屑捕集部１４に共通に接続される構成となっている。具体的には、ハンダ屑捕集管１２のそれぞれがＹ字状の合流部４４において合流し、その後にハンダ屑捕集部１４の前記分離筒５１に接続されている。それぞれのハンダ屑捕集管１２には逆止弁４５が設置されており、これによって、ハンダ屑５等を含んだ空気が一側のハンダ屑捕集管１２から他側のハンダ屑捕集管１２へ逆流することが防止される。
【００５１】
図３の例では、図中上側の吸引箱１１においてハンダゴテ３のハンダ屑５をクリーニングする様子が示されている。ただし、クリーニングのタイミングは任意に定めることができ、２つの吸引箱１１において同時にクリーニングを行うこともできる。
【００５２】
以上に示すように、図３の変形例のハンダゴテクリーニング装置１ｘにおいては、複数の吸引箱１１、ハンダ屑捕集管１２及び前記ワンダーガン１３が、共通のハンダ屑捕集部１４に接続されている。
【００５３】
これにより、ハンダ屑捕集部１４の設置数を少なくでき、設備コストを低減することができる。また、メンテナンスの対象となる設備が減少することになるので、メンテナンス作業の負担を更に軽減することができる。
【００５４】
以上に本発明の好適な実施形態を説明したが、上記の構成は例えば以下のように変更することができる。
【００５５】
ラビリンス構造３７における垂直板３６の設置枚数や間隔は、図１に示したものに限らず、適宜変更することができる。
【００５６】
エジェクタ付きのワンダーガン１３に代えて、例えば真空ポンプ又はブロア等によって空気をハンダ屑捕集管１２へ吸引するように構成することができる。ただし、ワンダーガン１３及びエジェクタを使用して空気を吸引する上記実施形態の構成は、ランニングコストを低減できるほか、空気に含まれるフラックスによる破損の心配がない点で有利である。
【００５７】
分離筒５１は円錐形に構成することに代えて、例えば円筒状となるように変更することができる。
【００５８】
排気筒５３の上方に浄化フィルタ５４を設置する構成に代えて、排気筒５３の上部に適宜の配管を接続し、この配管の端部に浄化フィルタ５４を設置する構成に変更することができる。
【００５９】
図３の変形例では２つの吸引箱１１、ハンダ屑捕集管１２及びワンダーガン１３が１つのハンダ屑捕集部１４に接続されている構成であるが、例えば３つ以上の吸引箱１１等を接続する構成に変更することができる。
【００６０】
上記の実施形態ではハンダゴテクリーニング装置１をスマートコネクタの製造ラインに適用された例が示されているが、本発明は、他の製品における電子部品のハンダ付け工程に適用することも可能である。
【図面の簡単な説明】
【００６１】
【図１】本発明の一実施形態に係るハンダゴテクリーニング装置の全体的な構成を示した概略側面図。
【図２】２つの比較例を示す側面図。
【図３】ハンダゴテクリーニング装置の変形例を示す側面図。
【符号の説明】
【００６２】
１  ハンダゴテクリーニング装置
１１  吸引箱（筐体）
１２  ハンダ屑捕集経路
１３  ワンダーガン（吸引部）
１４  ハンダ屑捕集部
５１  分離筒（サイクロン分離部）
５２  回収箱（分離ハンダ屑捕集部）
５４  浄化フィルタ（フィルタ部）
３３  差込孔
３７  ラビリンス構造
【図１】
2009214113.tif 000003
【図２】
2009214113.tif 000004
【図３】
2009214113.tif 000005